(57)【要約】【課題】電気機器の消費電力を少なくする。【解決手段】照明装置１０は、光源１１０、照明側通信部１２０、及び制御部１３０を有している。光源１１０は照明装置の照明光の光源である。照明側通信部１２０は、電気機器２０と無線で通信する。制御部１３０は、光源１１０がオフすることを示すオフ通知情報を、照明側通信部１２０を介して電気機器２０に送信する。電気機器２０は、機器側通信部２１０及びモード移行部２２０を備えている。機器側通信部２１０は、照明装置１０の照明側通信部１２０と通信する。モード移行部２２０は、機器側通信部２１０が照明装置１０からオフ通知情報を受信したときに、電気機器２０を省電力モードに移行させる。【選択図】図１
2014212437.tif 000002
【特許請求の範囲】
【請求項１】
照明装置と、
電気機器と
を備え、
前記照明装置は、
光源と、
前記電気機器と無線で通信する照明側通信手段と、
前記光源がオフすることを示すオフ通知情報を、前記照明側通信手段を介して前記電気機器に送信する制御手段と、
を有し、
前記電気機器は、
前記照明側通信手段と通信する機器側通信手段と、
前記機器側通信手段が前記オフ通知情報を受信したときに、前記電気機器を省電力モードに移行させるモード移行手段と、
を備える制御システム。
【請求項２】
請求項１に記載の制御システムにおいて、
前記照明側通信手段は、前記電気機器を通信網に接続する制御システム。
【請求項３】
請求項２に記載の制御システムにおいて、
前記電気機器の前記機器側通信手段は、
前記オフ通知情報を受信したときに、待機モードに移行することを示す待機モード通知情報を前記照明側通信手段に送信するとともに、待機モードに移行し、
前記照明装置の前記照明側通信手段は、前記待機モード通知情報を受信したときに待機モードに移行する制御システム。
【請求項４】
請求項３に記載の制御システムにおいて、
前記電気機器は、前記電気機器のメンテナンスの要否を判断し、メンテナンスが必要な場合に、前記機器側通信手段を介して外部にメンテナンス要求情報を送信するメンテナンス要否判断手段を備え、
前記メンテナンス要否判断手段は、前記メンテナンス要求情報を送信する際に前記機器側通信手段が待機モードになっていた場合、前記機器側通信手段に動作モードに復帰することを要求する動作要求情報を前記機器側通信手段に送信し、
前記機器側通信手段は、待機モードに移行した後、前記メンテナンス要否判断手段から前記動作要求情報を受信したとき、待機モードから動作モードに移行する制御システム。
【請求項５】
請求項４に記載の制御システムにおいて、
前記電気機器は、消耗品を備え、
前記メンテナンス要否判断手段は、前記消耗品の補給の要否を判断し、前記消耗品の補給が必要な場合に、前記メンテナンス要求情報として補給要求情報を送信する制御システム。
【請求項６】
請求項３〜５のいずれか一項に記載の制御システムにおいて、
前記機器側通信手段は、
他の機器と前記照明側通信手段との間の通信を中継し、
前記オフ通知情報を受信したときに、前記他の機器に、他の通信手段を介して前記通信網に接続することを指示する接続指示情報を送信し、
前記他の機器から、他の通信手段を介して前記通信網と接続した旨を示す情報を受信してから、待機モードに移行する制御システム。
【請求項７】
光源及び電気機器と無線で通信する照明側通信手段とを有する照明装置が、前記光源がオフするときに、オフ通知情報を、前記照明側通信手段を介して前記電気機器に送信し、
前記電気機器は、前記オフ通知情報を受信したときに、省電力モードに移行する電気機器の制御方法。
【請求項８】
請求項７に記載の電気機器の制御方法において、
前記照明装置は前記電気機器を通信網に接続し、
前記電気機器の機器側通信手段は、前記オフ通知情報を受信したときに待機モードに移行し、かつ待機モードに移行したことを示す待機モード通知情報を前記照明装置に送信し、
前記照明装置の前記照明側通信手段は、前記待機モード通知情報を受信したときに待機モードに移行する電気機器の制御方法。
【請求項９】
請求項７に記載の電気機器の制御方法において、
前記照明装置は前記電気機器を通信網に接続し、
前記電気機器は、
消耗品を有しており、
前記消耗品の補給の要否を判断し、前記消耗品の補給が必要な場合に、前記電気機器が有する機器側通信手段を介して外部に補給要求情報を送信し、
前記補給要求情報を送信する際に前記機器側通信手段が待機モードになっていた場合、前記機器側通信手段に動作モードに復帰させる電気機器の制御方法。
【請求項１０】
請求項８又は９に記載の電気機器の制御方法において、
前記機器側通信手段は、
他の機器と前記照明側通信手段との間の通信を中継し、
前記オフ通知情報を受信したときに、前記他の機器に、他の通信手段を介して前記通信網に接続することを指示する接続指示情報を送信する電気機器の制御方法。
【発明の詳細な説明】
【技術分野】
【０００１】
本発明は、制御システム及び電気機器の制御方法に関する。
【背景技術】
【０００２】
無線通信を行うためには、無線通信用のアクセスポイントを、無線通信を行う場所に設置する必要がある。例えば特許文献１には、照明器具に無線通信のアクセスポイントを取り付けることが記載されている。
【０００３】
なお、特許文献２には、ウォーターサーバの水の残量が少なくなったときに、ウォーターサーバの水残量を管理する装置が、通信ネットワークを介して、コールセンターに水の配送を要求する通知を行うことが記載されている。
【先行技術文献】
【特許文献】
【０００４】
【特許文献１】国際公開第２００８／００７５１４号
【特許文献２】特開２０１２−１８８１４１号公報
【発明の概要】
【発明が解決しようとする課題】
【０００５】
近年は環境負荷への関心が高まっている。このため、本発明者は、照明装置と電気機器を連動させることにより、電気機器の消費電力を少なくすることを検討した。
【０００６】
本発明の目的は、電気機器の消費電力を少なくすることができる制御システム及び電気機器の制御方法を提供することにある。
【課題を解決するための手段】
【０００７】
本発明によれば、照明装置と、
電気機器と
を備え、
前記照明装置は、
光源と、
前記電気機器と無線で通信する照明側通信手段と、
前記光源がオフすることを示すオフ通知情報を、前記照明側通信手段を介して前記電気機器に送信する制御手段と、
を有し、
前記電気機器は、
前記照明側通信手段と通信する機器側通信手段と、
前記機器側通信手段が前記オフ通知情報を受信したときに、前記電気機器を省電力モードに移行させるモード移行手段と、
を備える制御システムが提供される。
【０００８】
本発明によれば、光源及び電気機器と無線で通信する照明側通信手段とを有する照明装置が、前記光源がオフするときに、オフ通知情報を、前記照明側通信手段を介して前記電気機器に送信し、
前記電気機器は、前記オフ通知情報を受信したときに、省電力モードに移行する電気機器の制御方法が提供される。
【発明の効果】
【０００９】
本発明によれば、電気機器の消費電力を少なくすることができる。
【図面の簡単な説明】
【００１０】
【図１】第１の実施形態に係る制御システムの構成を示す図である。
【図２】図１に示した制御システムの動作の一例を示すフローチャートである。
【図３】第２の実施形態に係る制御システムの構成を示す図である。
【図４】図３に示した制御システムの動作の一例を示すフローチャートである。
【図５】第３の実施形態に係る制御システムの構成を示す図である。
【図６】第３の実施形態に係る制御システムの動作の一例を示すフローチャートである。
【図７】第４の実施形態に係る制御システムの構成を示す図である。
【図８】第４の実施形態における制御システムが行う制御の一例を示すフローチャートである。
【図９】第５の実施形態に係る制御システムの動作を示すフローチャートである。
【発明を実施するための形態】
【００１１】
以下、本発明の実施の形態について、図面を用いて説明する。尚、すべての図面において、同様な構成要素には同様の符号を付し、適宜説明を省略する。
【００１２】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
（第１の実施形態）
図１は、第１の実施形態に係る制御システムの構成を示す図である。この制御システムは、照明装置１０及び電気機器２０を備えている。電気機器２０は、照明装置１０によって照明される領域に配置されている。例えば照明装置１０が室内の照明であれば、電気機器２０は、照明装置１０と同じ部屋に配置されている。電気機器２０は、例えばプリンタやコンピュータなどのオフィス機器であっても良いし、給水器や自動販売機など物品を人に供給する装置であってもよい。
【００１４】
照明装置１０は、光源１１０、照明側通信部１２０、及び制御部１３０を有している。光源１１０は照明装置の照明光の光源である。照明側通信部１２０は、電気機器２０と無線で通信する。制御部１３０は、光源１１０がオフすることを示すオフ通知情報を、照明側通信部１２０を介して電気機器２０に送信する。オフ通知情報は、例えば照明装置１０のユーザが照明のスイッチを切ると制御部１３０で生成される。
【００１５】
電気機器２０は、機器側通信部２１０及びモード移行部２２０を備えている。機器側通信部２１０は、照明装置１０の照明側通信部１２０と通信する。モード移行部２２０は、機器側通信部２１０が照明装置１０からオフ通知情報を受信したときに、電気機器２０を省電力モードに移行させる。省電力モードは、動作中よりも消費電力が低いモードであり、その形態については、特に限定はない。
【００１６】
図２は、図１に示した制御システムの動作の一例を示すフローチャートである。照明装置１０の光源１１０は、ユーザからの指示に従ってオン／オフする。そして照明装置１０の制御部１３０は、光源１１０がオフする（ステップＳ１００）と、照明側通信部１２０を介して、オフ通知情報を電気機器２０に送信する（ステップＳ１０２）。
【００１７】
電気機器２０のモード移行部２２０は、機器側通信部２１０を介してオフ通知情報を受信すると、電気機器２０を省電力モードに移行させる（ステップＳ１０４）。
【００１８】
照明装置１０の光源１１０がオフになった場合、照明装置１０によって照明される領域には人がいない可能性が高い。このため、本実施形態のように、光源１１０がオフになると電気機器２０を省電力モードに移行させても、不都合は生じにくい。そして、電気機器２０を省電力モードに移行させるため、電気機器２０の消費電力を少なくすることができる。
【００１９】
（第２の実施形態）
図３は、第２の実施形態に係る制御システムの構成を示す図である。本実施形態に係る制御システムは、以下の点を除いて、第１の実施形態に係る制御システムと同様の構成である。
【００２０】
まず、照明装置１０の照明側通信部１２０は、無線通信のアクセスポイントとして機能する。そして、照明側通信部１２０は、電気機器２０の機器側通信部２１０を通信網３０に接続する。照明側通信部１２０における通信の規格は、例えばＷｉ―Ｆｉ（Wireless Fidelity）であるが、他の規格、例えばＢｌｕｅｔｏｏｔｈ（登録商標）であってもよい。
【００２１】
図４は、図３に示した制御システムの動作の一例を示すフローチャートである。ステップＳ１００〜Ｓ１０４に示した動作は、第１の実施形態と同様である。電気機器２０の機器側通信部２１０は、電気機器２０が省電力モードに移行した後（ステップＳ１０４）、機器側通信部２１０が待機モードに移行することを示す待機モード通知情報を照明装置１０の照明側通信部１２０に送信する（ステップＳ１０６）。この際、機器側通信部２１０は、照明側通信部１２０に送信すべき情報が残っていないことを確認する。その後、機器側通信部２１０は、待機モードに移行する（ステップＳ１０８）。なお、機器側通信部２１０は、待機モードにおいて、外部（例えば照明側通信部１２０や他の無線通信端末）と無線で通信を行わない。このため、待機モードにおける機器側通信部２１０の消費電力は、動作モードにおける機器側通信部２１０の消費電力よりも少ない。
【００２２】
そして照明装置１０の照明側通信部１２０は、待機モード通知情報を機器側通信部２１０から受信すると、待機モードに移行する（ステップＳ１１０）。なお、照明側通信部１２０は、待機モードにおいて、外部（例えば機器側通信部２１０や他の無線通信端末）と無線で通信を行わない。このため、待機モードにおける照明側通信部１２０の消費電力は、動作モードにおける照明側通信部１２０の消費電力よりも少ない。
【００２３】
本実施形態によっても、第１の実施形態と同様の効果が得られる。また、照明側通信部１２０は無線通信のアクセスポイントとして機能するため、機器側通信部２１０を通信網３０に接続することができる。
【００２４】
また、上記したように、照明装置１０の光源１１０がオフになった場合、照明装置１０によって照明される領域には人がいない可能性が高い。このため、照明側通信部１２０及び機器側通信部２１０が待機モードになっても、問題が生じる可能性は低い。そして、照明側通信部１２０及び機器側通信部２１０が待機モードになることにより、これらの消費電力を削減することができる。
【００２５】
さらに、光源１１０は、機器側通信部２１０から待機モード通知情報を受信した後、待機モードに移行する。このため、機器側通信部２１０が照明側通信部１２０と通信している間に機器側通信部２１０が待機モードに移行することを抑制できる。
【００２６】
（第３の実施形態）
図５は、第３の実施形態に係る制御システムの構成を示す図である。本実施形態に係る制御システムは、以下の点を除いて第２の実施形態に係る制御システムと同様の構成である。
【００２７】
まず、電気機器２０は、消耗品２３０及び補給要否判断部２４０を有している。補給要否判断部２４０は、メンテナンス要否判断部の一例である。
【００２８】
電気機器２０が印刷機能を有している場合、消耗品２３０は、例えばインクまたはトナーである。また電気機器２０が給水機（ウォーターサーバ）や自動販売機である場合、消耗品２３０は、例えば水や商品である。
【００２９】
補給要否判断部２４０は、消耗品２３０の残量を検出するセンサを有しており、消耗品２３０の補給の必要性の有無を判断する。そして補給要否判断部２４０は、消耗品２３０の補給が必要であると判断すると、機器側通信部２１０、照明側通信部１２０、及び通信網３０を介して、管理サーバ４０に補給要求情報を送信する。
【００３０】
また、補給要否判断部２４０は、補給要求情報を送信する際に機器側通信部２１０が待機モードになっていた場合、機器側通信部２１０に動作モードに復帰することを要求する動作要求情報を送信する。そして機器側通信部２１０は、待機モードに移行した後、補給要否判断部２４０から動作要求情報を受信したとき、待機モードから動作モードに移行する。
【００３１】
図６は、本実施形態に係る制御システムの動作の一例を示すフローチャートである。本図は、補給要否判断部２４０が補給要求情報を管理サーバ４０に送信するときの処理を示している。
【００３２】
補給要否判断部２４０は、消耗品２３０の補給の必要性を検出する（ステップＳ２００）と、補給要求情報を機器側通信部２１０に送信する（ステップＳ２０２）。そして機器側通信部２１０は、待機モードになっていない場合（ステップＳ２０４：Ｎｏ）、補給要求情報を、照明装置１０の照明側通信部１２０を介して管理サーバ４０に送信する（ステップＳ２０６，Ｓ２０８）。
【００３３】
一方、機器側通信部２１０は、待機モード中に補給要求情報を受信した場合（ステップＳ２０４：Ｙｅｓ）、補給要求情報を通信網３０に送信できなかったことを示す送信エラー情報を補給要否判断部２４０に返す（ステップＳ２１０）。補給要否判断部２４０は、送信エラー情報を受信すると、動作要求情報を機器側通信部２１０に送信する（ステップＳ２１２）。
【００３４】
機器側通信部２１０は、補給要否判断部２４０から動作要求情報を受信すると、待機モードから動作モードに移行する（ステップＳ２１４）。そして機器側通信部２１０は、照明装置１０の照明側通信部１２０との間で、接続処理を行う（ステップＳ２１６）。これにより、機器側通信部２１０と照明側通信部１２０の間の通信が確立する。
【００３５】
その後、機器側通信部２１０は、補給要否判断部２４０に、照明側通信部１２０との間の通信が確立したことを示す通信開始情報を送信する（ステップＳ２１８）。すると補給要否判断部２４０は、機器側通信部２１０に、補給要求情報を再度要求する（ステップＳ２２０）。機器側通信部２１０は、補給要否判断部２４０から受信した補給要求情報を、照明側通信部１２０を介して管理サーバ４０に送信する（ステップＳ２２２，Ｓ２２４）。
【００３６】
その後、管理サーバ４０は、補給要求情報を受信すると、補給要否判断部２４０に受信情報を送信する（ステップＳ２２６，Ｓ２２８，Ｓ２３０）。補給要否判断部２４０は、受信情報を受信すると、機器側通信部２１０に、待機モードに移行することを要求する待機モード要求情報を送信する（ステップＳ２３２）。機器側通信部２１０は、他の無線機器が接続している場合（ステップＳ２３４：Ｙｅｓ）、待機モード要求情報を無視する。また頼無線機器が接続していない場合（ステップＳ２３４：Ｎｏ）、待機モードに移行する（ステップＳ２３６）。
【００３７】
本実施形態によっても、第２の実施形態と同様の効果が得られる。また、補給要否判断部２４０は、機器側通信部２１０が待機モードになっていても、機器側通信部２１０に動作要求情報を送信して機器側通信部２１０を動作モードに移行させるため、管理サーバ４０に補給要求情報を送信することができる。
【００３８】
さらに補給要否判断部２４０は、管理サーバ４０から補給要求情報を受信したことを示す情報（受信情報）を受信した後、機器側通信部２１０に待機モード要求情報を送信する。従って、機器側通信部２１０の消費電力が増えることを抑制できる。
【００３９】
なお、本実施形態において、補給要否判断部２４０の代わりに以下の判断部を有していても良い。この判断部は、電気機器２０のメンテナンスの時期を判断したり、電気機器２０の故障を検知する。この場合、判断部は、補給要求情報の代わりに、メンテナンスの時期が来たことを示す情報、または電気機器２０が故障したことを示す情報を送信する。
【００４０】
（第４の実施形態）
図７は、第４の実施形態に係る制御システムの構成を示す図である。本実施形態に係る制御システムは、以下の点を除いて第３の実施形態に係る制御システムと同様である。
【００４１】
まず、機器側通信部２１０は、他の機器５０と無線で通信する。機器側通信部２１０と機器５０の間の通信は、機器側通信部２１０と照明側通信部１２０の間の通信とは異なる周波数で行われても良い。そして機器５０は、機器側通信部２１０及び照明側通信部１２０を介して、通信網３０と接続する。
【００４２】
そして照明側通信部１２０は、待機モードに移行するとき、機器５０に、他の通信機器（アクセスポイント）を介して通信網３０と接続するための指示情報（接続指示情報）を送信する。
【００４３】
図８は、本実施形態における制御システムが行う制御の一例を示すフローチャートである。本図に示す例において、ステップＳ１０４までの処理は、図４に示した処理と同様である。
【００４４】
電気機器２０が省電力モードに移行した（ステップＳ１０４）後、電気機器２０の機器側通信部２１０は、他の機器５０が機器側通信部２１０及び照明装置１０の照明側通信部１２０を介して通信網３０に接続しているか否かを確認する（ステップＳ３００）。接続している場合（ステップＳ３００：Ｙｅｓ）、上記した接続指示情報を機器５０に送信する（ステップＳ３０２）。そして機器側通信部２１０は、機器５０から、他の通信機器を介して通信網３０と接続した旨の情報（接続完了情報）を受信する（ステップＳ３０４：Ｙｅｓ）と、ステップＳ１０６以降の処理を行う。
【００４５】
一方、機器側通信部２１０は、他の機器５０が接続していない場合（ステップＳ３００：Ｎｏ）、そのままステップＳ１０６以降の処理を行う。
【００４６】
本実施形態によっても、第３の実施形態と同様の効果が得られる。また、電気機器２０の機器側通信部２１０を機器５０のアクセスポイントとして使用することができる。さらに、機器５０が機器側通信部２１０をアクセスポイントとして使用しているときに電気機器２０がオフ通知情報を受信しても、機器側通信部２１０は、機器５０が他の通信機器を介して通信網３０と接続してから、待機モードに移行する。従って、機器５０と通信網３０の通信が中断することを抑制できる。
【００４７】
（第５の実施形態）
第５の実施形態に係る制御システムの機能構成は、第３の実施形態または第４の実施形態と同様である。
【００４８】
図９は、本実施形態に係る制御システムの動作を示すフローチャートである。本実施形態において、ステップＳ２１０までの動作は、図６に示した動作と同様である。
【００４９】
電気機器２０の補給要否判断部２４０は、電気機器２０の機器側通信部２１０からエラー情報を受信すると（ステップＳ２１１：Ｙｅｓ）、一定の時間が経過した後、ステップＳ２０２に戻り、再び補給要求情報を送信する。
【００５０】
機器側通信部２１０及び補給要否判断部２４０がステップＳ２０２，Ｓ２０４，Ｓ２１０，Ｓ２１１に示した処理を繰り返すうちに、いずれかのタイミングで機器側通信部２１０が待機モードから動作モードに移行する。このため、補給要否判断部２４０は、機器側通信部２１０、照明装置１０の照明側通信部１２０、及び通信網３０を介して管理サーバ４０に補給要求情報を送信することができる。
【００５１】
そして、管理サーバ４０は、補給要求情報を受信すると、補給要否判断部２４０に受信情報を送信する（ステップＳ２２６，Ｓ２２８，Ｓ２３０）。これ以降の処理は、図６に示した処理と同様である。
【００５２】
本実施形態によっても、第３の実施形態又は第４の実施形態と同様の効果が得られる。
【００５３】
以上、図面を参照して本発明の実施形態について述べたが、これらは本発明の例示であり、上記以外の様々な構成を採用することもできる。
【符号の説明】
【００５４】
１０ 照明装置
２０ 電気機器
３０ 通信網
４０ 管理サーバ
５０ 機器
１１０ 光源
１２０ 照明側通信部
１３０ 制御部
２１０ 機器側通信部
２２０ モード移行部
２３０ 消耗品
２４０ 補給要否判断部
【図１】
2014212437.tif 000003
【図２】
2014212437.tif 000004
【図３】
2014212437.tif 000005
【図４】
2014212437.tif 000006
【図５】
2014212437.tif 000007
【図６】
2014212437.tif 000008
【図７】
2014212437.tif 000009
【図８】
2014212437.tif 000010
【図９】
2014212437.tif 000011